(57)【要約】【課題】車両で使用する後方視認アセンブリを提供すること。【解決手段】当該後方視認アセンブリは、支持部に動作可能に結合された後方視認デバイスを含む。当該後方視認デバイスは、第一基材及び第二基材を含む。第一基材は、第二基材の前方に配置され、第一面及び第二面を含む。第二基材は、第三面及び第四面を含む。ベゼルが、後方視認デバイスの周辺縁部の周囲に延在している。ベゼルの一部が、第二基材の第四面の後方に延在している。装飾が、後方視認デバイスの周辺縁部の近傍の前面の上に配置されている。当該装飾は、車両の内側の内装様式と厳密に合うように構成された美観設計を含む。保護層が、装飾の上に配置されている。【選択図】図２
2019112064.tif 000002
【特許請求の範囲】
【請求項１】
車両で使用する後方視認アセンブリであって、
支持部に動作可能に結合され、第一基材及び第二基材を含む後方視認デバイスと、
前記後方視認デバイスの周辺縁部の周囲に延在するベゼルと、
前記後方視認デバイスの周辺縁部の近傍の前面の上に配置された装飾と、
前記装飾の上に配置される保護層と、
を備え、
前記第一基材は、前記第二基材の前方に配置され、第一面及び第二面を含み、
前記第二基材は、第三面及び第四面を含み、
前記ベゼルの一部は、前記第二基材の前記第四面の後方に延在しており、
前記装飾は、前記車両の内側の内装様式と厳密に合うように構成された美観設計を含む
ことを特徴とする後方視認アセンブリ。
【請求項２】
前記装飾は、印刷されたグラフィックの装飾である
ことを特徴とする請求項１に記載の後方視認アセンブリ。
【請求項３】
前記保護層は、前記装飾の上に配置された透明なポリマー基材である
ことを特徴とする請求項１または２に記載の後方視認アセンブリ。
【請求項４】
前記ベゼルの前方縁部と前記透明なポリマー基材の前面とは、実質的に同一平面である
ことを特徴とする請求項３に記載の後方視認アセンブリ。
【請求項５】
前記ベゼルの前記前方縁部と前記第一面とは、実質的に同一平面である
ことを特徴とする請求項４に記載の後方視認アセンブリ。
【請求項６】
前記透明なポリマー基材は、前記装飾と前記ベゼルの前記前方縁部との両方の上に延在している
ことを特徴とする請求項４または５に記載の後方視認アセンブリ。
【請求項７】
前記装飾と前記第一基材の前記第一面との間に配置された圧感接着剤
を更に備えたことを特徴とする請求項１乃至６のいずれかに記載の後方視認アセンブリ。
【請求項８】
車両で使用する後方視認アセンブリであって、
支持部に動作可能に結合され、第一基材及び第二基材を含む後方視認デバイスと、
前記後方視認デバイスの周辺縁部の周囲に延在するベゼルと、
前記後方視認デバイスの周辺縁部の近傍の前面の上に配置された、印刷されたグラフィックである装飾と、
前記後方視認デバイスを露出する中央開口を画成し、前記ベゼルに隣接する前記装飾の上に配置された基材と、
を備え、
前記第一基材は、前記第二基材の前方に配置され、第一面及び第二面を含み、
前記第二基材は、第三面及び第四面を含み、
前記ベゼルの一部は、前記第二基材の前記第四面の後方に延在しており、
前記装飾は、前記車両の内側の内装様式と厳密に合うように構成された美観設計を含む
ことを特徴とする後方視認アセンブリ。
【請求項９】
前記装飾と前記第一基材の前記第一面との間に配置された圧感接着剤
を更に備えたことを特徴とする請求項８に記載の後方視認アセンブリ。
【請求項１０】
前記基材は、前記装飾と前記ベゼルの前方縁部との両方の上を包囲している
ことを特徴とする請求項８または９に記載の後方視認アセンブリ。
【請求項１１】
前記基材は、透明なポリマー基材から形成される
ことを特徴とする請求項８乃至１０のいずれかに記載の後方視認アセンブリ。
【請求項１２】
車両で使用する後方視認アセンブリであって、
ハウジングと、
前記ハウジングと動作可能に結合され、ディスプレイを支持する支持部と、
前記ハウジング内に配置され、前記ディスプレイと動作可能に結合された回路基板と、
前記支持部と動作可能に結合され、前記ディスプレイの前方に配置された後方視認デバイスと、
前記後方視認デバイスの周辺縁部の周辺で、第一面の近傍に配置された装飾と、
を備えた後方視認アセンブリ。
【請求項１３】
前記装飾の近傍の前記後方視認デバイスの前記周辺縁部と接するベゼル
を更に備えたことを特徴とする請求項１２に記載の後方視認アセンブリ。
【請求項１４】
前記装飾は、前記車両の内側の内装と類似する内装を含む、印刷されたグラフィックの装飾である
ことを特徴とする請求項１２または１３に記載の後方視認アセンブリ。
【請求項１５】
前記装飾の上に配置された透明な外側被覆
を更に備えたことを特徴とする請求項１２乃至１４のいずれかに記載の後方視認アセンブリ。
【請求項１６】
前記ベゼルの前方縁部と前記透明な外側被覆の前面とが、実質的に同一平面である
ことを特徴とする請求項１５に記載の後方視認アセンブリ。
【請求項１７】
前記ベゼルの前面と前記ディスプレイの前面とが、実質的に同一平面である
ことを特徴とする請求項１２乃至１５のいずれかに記載の後方視認アセンブリ。
【請求項１８】
前記透明な外側被覆は、前記装飾および前記ベゼルの前方縁部の両方の上に延在している
ことを特徴とする請求項１５に記載の後方視認アセンブリ。
【請求項１９】
前記装飾と前記ディスプレイの前面との間に配置された圧感接着剤
を更に備えたことを特徴とする請求項１２乃至１８のいずれかに記載の後方視認アセンブリ。
【請求項２０】
前記ディスプレイは、前記支持部と動作可能に結合される電気光学要素の一部を形成しており、
前記電気光学要素は、第一基材及び第二基材を含んでおり、
前記第一基材は、前記第二基材の前方に配置され、第一面及び第二面を含み、
前記第二基材は、第三面及び第四面を含む
ことを特徴とする請求項１２乃至１９のいずれかに記載の後方視認アセンブリ。
【発明の詳細な説明】
【技術分野】
【０００１】
本開示は、概して、車両における後方視認アセンブリに関し、より詳細には装飾を含む後方視認アセンブリに関する。
【発明の概要】
【０００２】
この開示の一態様は、車両で使用する後方視認アセンブリを含む。当該後方視認アセンブリは、支持部に動作可能に結合された後方視認デバイスを含む。当該後方視認デバイスは、第一基材及び第二基材を含む。第一基材は、第二基材の前方に配置され、第一面及び第二面を含む。第二基材は、第三面及び第四面を含む。ベゼルが、後方視認デバイスの周辺縁部の周囲に延在している。ベゼルの一部が、第二基材の第四面の後方に延在している。装飾が、後方視認デバイスの周辺縁部の近傍の前面の上に配置されている。当該装飾は、車両の内側の内装様式と厳密に合うように構成された美観設計を含む。保護層が、装飾の上に配置されている。
【０００３】
この開示の別の態様は、車両で使用する後方視認アセンブリを含む。当該後方視認アセンブリは、支持部に動作可能に結合された後方視認デバイスを含む。当該後方視認デバイスは、第一基材及び第二基材を含む。第一基材は、第二基材の前方に配置され、第一面及び第二面を含む。第二基材は、第三面及び第四面を含む。ベゼルが、後方視認デバイスの周辺縁部の周囲に延在している。ベゼルの一部が、第二基材の第四面の後方に延在している。印刷されたグラフィックの装飾が、後方視認デバイスの周辺縁部の近傍の前面の上に配置されている。当該装飾は、車両の内側の内装様式と厳密に合うように構成された美観設計を含む。基材が、後方視認デバイスを露出する中央開口を画成している。基材は、ベゼルに隣接する装飾の上に配置されている。
【０００４】
この開示の更に別の態様は、車両で使用する後方視認アセンブリを含む。当該後方視認アセンブリは、ハウジングを含む。支持部が、ハウジングと動作可能に結合され、ディスプレイを支持している。回路基板が、ハウジング内に配置され、ディスプレイと動作可能に結合されている。後方視認デバイスが、支持部と動作可能に結合されている。後方視認デバイスは、ディスプレイの前方に配置されている。装飾が、後方視認デバイスの周辺縁部の周辺で、第一面の近傍に配置されている。
【０００５】
この開示の更に別の態様は、車両で使用する後方視認アセンブリを含む。当該後方視認アセンブリは、当該後方視認デバイスの周辺縁部の近傍の前面の上に配置された装飾を有する後方視認デバイスを含む。当該装飾は、車両の内側の内装様式と厳密に合うような美観設計を含むように構成されている。
【０００６】
本開示の、これらおよび他の特徴、利点、および目的は、以下の明細書、特許請求の範囲、および添付図面を参照して、当業者によってさらに理解および認識されることになる。
【図面の簡単な説明】
【０００７】
【図１】図１は、本開示の後方視認アセンブリの一実施形態の前方正面図である。
【０００８】
【図２】図２は、本開示の後方視認アセンブリの前方部分の側面斜視図である。
【０００９】
【図３】図３は、本開示の一実施形態のあるコーナーの部分拡大上面図である。
【００１０】
【図４】図４は、本開示の別の実施形態のあるコーナーの部分拡大上面図である。
【００１１】
【図５】図５は、本開示のさらに別の実施形態のあるコーナーの部分拡大上面図である。
【発明を実施するための形態】
【００１２】
ここで説明される実施形態は、主に、ディスプレイミラーに関連する方法ステップと装置構成要素との組み合わせに存する。したがって、装置構成要素および方法ステップは、該当する場合、詳細によって開示を不明瞭にしないように、本開示の実施形態を理解することに関するそれらの特定の詳細のみを示す図面において、従来の符号によって表されている。前記詳細は、本明細書の説明の恩恵を有する当業者に容易に明らかになる。さらに、説明および図面における同類の数字は、同類の要素を表す。
【００１３】
本明細書における記述の目的のために、用語「上部の」、「下部の」、「右の」、「左の」、「後方の」、「前方の」、「垂直の」、「水平の」、およびそれについての派生語は、図１において関連付けられた開示に関するものとする。別様に述べられない限り、用語「前方の」は、ディスプレイミラーを見ることを意図される者により近い要素の表面を指すものであり、用語「後方の」はディスプレイミラーを見ることを意図された者から離れた要素の表面を指すものである。しかしながら、それとは逆に明確に特定されたもの以外は、発明はさまざまな代わりの配向をとってもよい、と理解されるべきである。添付図面に図示され、かつ以下の明細書に記述された特定のデバイスおよびプロセスは、添付された特許請求の範囲において定義された発明概念の単なる例示的な実施形態であることも理解されるべきである。したがって、本明細書に開示された実施形態に関する特定の寸法および他の物理的特性は、特許請求の範囲が明示的に別段に述べない限り、限定するものと見なされるべきではない。
【００１４】
用語「ｉｎｃｌｕｄｉｎｇ（含む）」、「ｃｏｍｐｒｉｓｅｓ（備える）」、「ｃｏｍｐｒｉｓｉｎｇ（備える）」、または任意の他の変形は、要素のリストを備えるプロセス、方法、物品、または装置が、それらの要素のみを含むのではなく、このようなプロセス、方法、物品、または装置に明示的に列挙されもせず、固有でもない他の要素を含んでもよいように、非排他的包括にわたるように意図される。「ｃｏｍｐｒｉｓｅｓ  ａ．．．」によって始められる要素は、さらなる制約を受けずに、その要素を備えるプロセス、方法、物品、または装置において、追加の同一要素の存在を妨げない。
【００１５】
ここで、図１乃至図５を参照して、参照符号１０は、全体として、車両に使用する後方視認アセンブリを示す。後方視認アセンブリ１０は、支持部１４と動作可能に結合された後方視認デバイス１２を含む。後方視認デバイス１２は、前方基材１６及び後方基材１８を含む。前方基材１６は、後方基材１８の前方に配置され、第一面２０及び第二面２２を含む。後方基材１８は、第三面２４及び第四面２６を含む。ベゼル２８が、後方視認デバイス１２の周辺縁部３０の周囲に延在している。ベゼル２８の一部が、後方基材１８の第四面２６の後方に延在している。装飾３２が、後方視認デバイス１２の周辺縁部３０の近傍の前面３４の上に配置されている。装飾３２は、車両内側の内装様式と厳密に合うように構成された美観設計を含む。透明基材３６が、ベゼル２８に隣接した装飾３２の上に配置されている。
【００１６】
図１及び図２を再び参照して、本開示の装飾３２は、全体として、後方視認デバイス１２の周縁において前面３４を横切って延びるように構成されており、例えば圧感接着剤のような接着剤４０によって後方視認デバイス１２と結合するように構成されている。装飾３２を、後方視認デバイス１２の前面３４に接続するために、特に前方基材１６の第一面２０と接続するために、他の接着剤を利用することができることもまた意図されている。装飾３２は、印刷、刻印、成形、エッチングなどであり得て、所望の外観を形成し得る。前述したように、装飾３２は、車両の内装に厳密に似せられるか、または、それに合うような設計を含み得る。図２に示すように、透明基材３６が、装飾３２の上に延在して、装飾３２を保護している。透明基材３６は、バックミラーデバイス１２を露出しベゼル２８と略隣接する中央開口を画成している。透明基材３６は、液晶ディスプレイ（ＬＣＤ）に対して反射面積の比率を最小限にするか、または、なくす外側被覆として機能する。透明基材３６は、ポリマー材料、ガラスなどを含む種々の材料より構成され得る。装飾３２の使用により、遮蔽層やクロム製リングの必要性をなくし、それと同時に、前方基材１６及び後方基材１８間に配置される電気光学媒体についての後方視認アセンブリ１０のハウジング内に配置される回路基板を接続するクリップを位置決めして隠すことに役立つことも可能である。
【００１７】
ここで、図３を参照すると、図示の実施形態において、前方及び後方基材１６、１８は、平行な平面として配向されている。後方基材１８の第四面２６とベゼル２８の内側支持壁５１及び／または支持部１４とを結合する、接着剤５０が塗布されている。ベゼル２８はまた、ベゼル２８の内側支持壁５１と略直交して延びる内側周壁５２を含んでいる。また、ベゼル２８は、装飾３２の上に延在して透明基材３６の傾斜した接合壁５６を概ね補完する傾斜した前方部分５４を含んでいる。ベゼル２８の外側壁は、略平面の側壁５７及び角丸の前方壁５８を含んでいる。さらに、ベゼル２８の前方壁５８の前方縁部６０は、透明基材３６の略平面の前面６１と概ね同一平面かつ面一である。透明基材３６は、後方視認デバイス１２の上に延在し、より詳細には、前方基材１６の第一面２０の前方に延在している。接着剤４０が、装飾３２と前方基材１６の第一面２０との間に配置されている。透明基材３６は、装飾３２を完全に覆って延在している。しかしながら、透明基材３６は、装飾３２を越して延在していてもよいし、または、装飾３２が、透明基材３６の外に延在していてもよい。
【００１８】
ここで、図４を参照すると、図示の実施形態は、類似の構造を含んでいる。ただし、ベゼル２８は、透明基材３６により覆われる角丸の外側壁７０を含んでいる。本実施形態では、透明基材３６は、前方基材１６の第一面２０の上に延在してベゼル２８の周囲を包囲する断面略Ｌ形の構成を含む。透明基材３６の後方壁７２は、ベゼル２８の外側方向に延びる架台壁７４に対して接している。図示の実施形態では、透明基材３６が、装飾３２を完全に覆って延在している。しかしながら、前述したように、透明基材３６は、装飾３２を越して延在していてもよいし、または、装飾３２が、透明基材３６の外に延在していてもよい。本実施形態は、その他、図３に関して開示したものと同様の特徴を含む。
【００１９】
図５を参照すると、図示の実施形態は、透明基材３６を含んでいる。透明基材３６の前面７６は、ベゼル２８の前方壁８０と略同一平面である。ベゼル２８の前方壁８０は、前方基材１６の第一面２０の平面範囲に対して略直交する外側壁８２の方へ曲がっている。本実施形態は、その他、図３及び図４に関して開示したものと同様の特徴を含む。また、ベゼル２８は、透明基材３６の近傍に小さな面取りされた隅８４を含んでいる。透明基材３６の外側壁８６は、透明基材３６の前面７６に対して略直交している。ベゼル２８の内側壁８８は、外側壁８６と整列されて、断面で、外側壁８６の平面と実質的に平行である平面を占有する。
【００２０】
本願において、透明基材３６は、全体的に透明であると説明されているが、基材３６は、略透明、略半透明、または、部分的に不透明、でありうるということを、当業者であれば理解するであろう。また、基材３６は、かなり不透明であってもよく、使用者から見て基材３６が少なくとも部分的に装飾３２を隠す、ということも意図されている。本明細書で概ね示されたように、基材３６はまた、ガラス、ポリマー材料などを含む種々の材料から構成され得る。
【００２１】
本明細書で開示されたように、装飾３２は、概して、ＬＣＤに対して反射面積の比率を最小限にする、またはなくす、ように構成されている。さらに、装飾３２は、概して、ミラーまたはディスプレイの上に遮蔽層を画成しているため、クロム製リングのような内部遮蔽層が必要でなくなる。装飾３２は、効果的に、Ｊ形クリップなどの電気的なコネクタを隠し、車両内の内装的美観を補う様式化したカスタムブランドのインタフェースをエンドユーザに提供する。装飾３２は、印刷されていたり、平面であったり、織物であったり、光沢であったり、つや消しであったり、部分的に半透明であったり、等してよい。また、装飾３２は、接着剤や締め具などにより後方視認デバイス１２に付加され得るし、あるいは、後方視認デバイス１２の前面３４上に直に印刷され得る。
【００２２】
後方視認装置１２は、電気光学要素であってもよいし、プリズムなどの要素であってもよい。電気光学要素の１つの非限定的な例は、少なくとも１つの溶媒、少なくとも１つのアノード材料、および少なくとも１つのカソード材料を含むエレクトロクロミック媒体である。典型的には、アノード材料とカソード材料の両方が電気活性であり、それらの少なくとも１つはエレクトロクロミックである。その通常の意味にかかわらず、用語「電気活性」は、本明細書では、特定の電位差に曝されたときにその酸化状態が変化する材料として定義されることが理解される。さらに、「エレクトロクロミック」という用語は、その通常の意味にかかわらず、特定の電位差に曝されたときに１つまたは複数の波長でその消光係数に変化を示す材料として定義されることが理解されよう。本明細書に記載のエレクトロクロミック成分は、電流が当該材料に加えられると色または不透明度が第１相から第２相に変化するように、色または不透明度が電流によって影響を受ける材料を含む。エレクトロクロミック成分は、単層、単相成分、多層成分、または多相成分であり得、「Ｅｌｅｃｔｒｏｃｈｒｏｍｉｃ  Ｌａｙｅｒ  Ａｎｄ  Ｄｅｖｉｃｅｓ  Ｃｏｍｐｒｉｓｉｎｇ  Ｓａｍｅ」と題する米国特許第５，９２８，５７２号、「Ｅｌｅｃｔｒｏｃｈｒｏｍｉｃ  Ｃｏｍｐｏｕｎｄｓ」と題する米国特許第５，９９８，６１７号、「Ｅｌｅｃｔｒｏｃｈｒｏｍｉｃ  Ｍｅｄｉｕｍ  Ｃａｐａｂｌｅ  Ｏｆ  Ｐｒｏｄｕｃｉｎｇ  Ａ  Ｐｒｅｓｅｌｅｃｔｅｄ  Ｃｏｌｏｒ」と題する米国特許第６，０２０，９８７号、「Ｅｌｅｃｔｒｏｃｈｒｏｍｉｃ  Ｃｏｍｐｏｕｎｄｓ」と題する米国特許第６，０３７，４７１号、「Ｅｌｅｃｔｒｏｃｈｒｏｍｉｃ  Ｍｅｄｉａ  Ｆｏｒ  Ｐｒｏｄｕｃｉｎｇ  Ａ  Ｐｒｅ−ｓｅｌｅｃｔｅｄ  Ｃｏｌｏｒ」と題する米国特許第６，１４１，１３７号、「Ｅｌｅｃｔｒｏｃｈｒｏｍｉｃ  Ｓｙｓｔｅｍ」と題する米国特許第６，２４１，９１６号、「Ｎｅａｒ  Ｉｎｆｒａｒｅｄ−Ａｂｓｏｒｂｉｎｇ  Ｅｌｅｃｔｒｏｃｈｒｏｍｉｃ  Ｃｏｍｐｏｕｎｄｓ  Ａｎｄ  Ｄｅｖｉｃｅｓ  Ｃｏｍｐｒｉｓｉｎｇ  Ｓａｍｅ，」と題する米国特許第６，１９３，９１２号、「Ｃｏｕｐｌｅｄ  Ｅｌｅｃｔｒｏｃｈｒｏｍｉｃ  Ｃｏｍｐｏｕｎｄｓ  Ｗｉｔｈ  Ｐｈｏｔｏｓｔａｂｌｅ  Ｄｉｃａｔｉｏｎ  Ｏｘｉｄａｔｉｏｎ  Ｓｔａｔｅｓ」と題する米国特許第６，２４９，３６９号、そして「Ｅｌｅｃｔｒｏｃｈｒｏｍｉｃ  Ｍｅｄｉａ  Ｗｉｔｈ  Ｃｏｎｃｅｎｔｒａｔｉｏｎ  Ｅｎｈａｎｃｅｄ  Ｓｔａｂｉｌｉｔｙ，  Ｐｒｏｃｅｓｓ  Ｆｏｒ  Ｔｈｅ  Ｐｒｅｐａｒａｔｉｏｎ  Ｔｈｅｒｅｏｆ  ａｎｄ  Ｕｓｅ  Ｉｎ  Ｅｌｅｃｔｒｏｃｈｒｏｍｉｃ  Ｄｅｖｉｃｅｓ」と題する米国特許第６，１３７，６２０号、「Ｅｌｅｃｔｒｏｃｈｒｏｍｉｃ  Ｄｅｖｉｃｅ」と題する米国特許第６，５１９，０７２号、そして「Ｅｌｅｃｔｒｏｃｈｒｏｍｉｃ  Ｐｏｌｙｍｅｒｉｃ  Ｓｏｌｉｄ  Ｆｉｌｍｓ，  Ｍａｎｕｆａｃｔｕｒｉｎｇ  Ｅｌｅｃｔｒｏｃｈｒｏｍｉｃ  Ｄｅｖｉｃｅｓ  Ｕｓｉｎｇ  Ｓｕｃｈ  Ｓｏｌｉｄ  Ｆｉｌｍｓ，  Ａｎｄ  Ｐｒｏｃｅｓｓｅｓ  Ｆｏｒ  Ｍａｋｉｎｇ  Ｓｕｃｈ  Ｓｏｌｉｄ  Ｆｉｌｍｓ  Ａｎｄ  Ｄｅｖｉ���ｅｓ」と題する国際特許出願ＰＣＴ／ＵＳ９８／０５５７０号、「Ｅｌｅｃｔｒｏｃｈｒｏｍｉｃ  Ｐｏｌｙｍｅｒ  Ｓｙｓｔｅｍ」と題する国際特許出願ＰＣＴ／ＥＰ９８／０３８６２号、および「Ｅｌｅｃｔｒｏｃｈｒｏｍｉｃ  Ｐｏｌｙｍｅｒｉｃ  Ｓｏｌｉｄ  Ｆｉｌｍｓ，  Ｍａｎｕｆａｃｔｕｒｉｎｇ  Ｅｌｅｃｔｒｏｃｈｒｏｍｉｃ  Ｄｅｖｉｃｅｓ  Ｕｓｉｎｇ  Ｓｕｃｈ  Ｓｏｌｉｄ  Ｆｉｌｍｓ，  Ａｎｄ  Ｐｒｏｃｅｓｓｅｓ  Ｆｏｒ  Ｍａｋｉｎｇ  Ｓｕｃｈ  Ｓｏｌｉｄ  Ｆｉｌｍｓ  Ａｎｄ  Ｄｅｖｉｃｅｓ」と題する国際特許出願ＰＣＴ／ＵＳ９８／０５５７０号、に記載され、それらのすべては、当該参照によりその全体が本明細書に組み込まれる。後方視認装置１２はまた、部分的に反射し、部分的に透過性の特性を有する任意の他の要素であってもよい。後方視認装置１２に電流を供給するために、要素の両側に電気要素が設けられ、要素間に電位を生成する。
【００２３】
本開示は、米国特許第９，１７４，５７７号、米国特許第８，９２５，８９１号、米国特許第８，８１４，３７３号、米国特許第８，２０１，８００号、米国特許第８，２１０，６９５号、米国特許出願公開第２０１２／０３２７２３４号、米国仮特許出願第６１／７０９，７１６号、米国仮特許出願第６１／７０７，６７６号、及び、米国仮特許出願第６１／７０４，８６９号に記述されているような後方視認アセンブリと共に使用されうる。これら文献の開示内容は、当該参照によりその全体が本明細書に組み込まれる。さらに、本開示は、米国特許第８，８８５，２４０号、米国特許第８，８１４，３７３号、米国特許第８，６４６，９２４号、米国特許第８，６４３，９３１号、米国特許第８，２６４，７６１号、米国仮特許出願第６１／７０７，６２５号、及び、米国仮特許出願第６１／５９０，２５９号に記述されているような後方視認パッケージアセンブリと共に使用されうる。これら文献の開示内容は、当該参照によりその全体が本明細書に組み込まれる。さらに、本開示は、米国特許第８，８２７，５１７号、米国特許第８，２１０，６９５号、及び、米国特許第８，２０１，８００号に記述されているようなベゼルを含むことができることが意図されている。これら文献の開示内容は、当該参照によりその全体が本明細書に組み込まれる。
【００２４】
本明細書に記載される本開示の実施形態は、ある特定の非プロセッサ回路と併せて、本明細書に記載される後方視認アセンブリの機能のうちのいくつか、ほとんど、または全てを実装する一つ以上の従来のプロセッサ、ならびに、一つ以上のプロセッサを制御する固有の記憶されたプログラム命令、からなり得ることが理解されよう。非プロセッサ回路には、信号ドライバ、クロック回路、電源回路、および／またはユーザ入力デバイスが含まれ得るが、これらに限定されない。そのようなものとして、これらの機能は、分類システムを使用または構築するのに用いられる方法の工程として解釈され得る。代替的に、いくつかまたは全ての機能は、記憶されたプログラム命令を有しない状態機械によって、または、各機能もしくは所定の機能のいくつかの組み合わせがカスタムロジックとして実装される一つ以上の特定用途向け集積回路（ＡＳＩＣ）において、実装されることが可能である。当然のことながら、これらの二つのアプローチの組み合わせを使用することが可能である。故に、これらの機能のための方法および手段が本明細書に記載されてきた。さらに、当業者であれば、例えば、利用可能な時間、現在の技術、および経済的配慮によって動機付けられる、有意の努力および多くの設計選択にもかかわらず、本明細書に開示される概念および原理によって導かれるとき、最小限の実験をもってかかるソフトウェア命令およびプログラムならびにＩＣを容易に生成可能であろうことが予想される。
【００２５】
記述された発明および他の構成要素の構築は、いなかる特定の材料にも限定されないことが、当業者によって理解されるだろう。本明細書に開示された発明の他の例示的な実施形態は、本明細書に別段の記載がある場合を除き、広範な材料から形成され得る。
【００２６】
本開示用に、用語「ｃｏｕｐｌｅｄ（結合された）」（ｃｏｕｐｌｅ，ｃｏｕｐｌｉｎｇ，ｃｏｕｐｌｅｄなどその形式のすべてにおいて）は、直接的であれ間接的であれ、互いに２つの構成要素（電気的または機械的）が接合することを概して意味する。このような接合は、本質的に静止状態かまたは本質的に可動状態であってもよい。このような接合は、２つの構成要素（電気的または機械的）、ならびに、互いとまたは２つの構成要素と１つの単体として一体成形される付加的中間部材で、達成されてもよい。このような接合は、本質的に永続的であってよいか、または、別段の記載がない限り、本質的に取外し可能つまり遊離可能であってもよい。
【００２７】
例示的な実施形態において示されるような本開示の要素の構築および配置は、単に説明的であることに注意することも重要である。本発明の少数の実施形態だけが、本開示において詳細に記述されているが、本開示を検討する当業者は、列挙された主題の新規の教示および利点から逸脱することなく、多くの修正が可能（例えば、さまざまな要素のサイズ、寸法、構造、形および比率、パラメータ値、取り付け方法、材料の使用、色、向きなど）であることを容易に認識するだろう。例えば、一体成形として示される要素は、複数の部品が一体成形されてもよいように示される複数の部品または要素から構成されてもよく、インタフェースの操作が逆にまたは他の態様に変化されてもよく、システムの構造および／または部材またはコネクタまたは他の要素の長さまたは幅が変化されてもよく、要素間に提供された調整位置の性質または個数が変化されてもよい。システムの要素および／またはアセンブリは、任意の広範な色、質感、および組合せにおいて、十分な強度または耐久性を提供する、任意の広範な材料から構成されてもよい。その結果、すべてのこのような修正は、本発明の範囲内に含まれるように意図される。他の代用、修正、変化、および省略は、本発明の精神から逸脱することなく、所望の他の例示的な実施形態のデザイン、操作条件および配置において、なされ得る。
【００２８】
いずれの説明されたプロセスまたは説明されたプロセス内のステップも、その他の開示されたプロセスまたはステップと組み合わされ、本開示の範囲内で構造を形成し得ることが理解されるであろう。本明細書に開示された例示的な構造およびプロセスは、説明のためのものであり、制限として解釈してはならない。
【００２９】
変形および修正が、本開示の概念から逸脱することなく、前述の構造および方法においてなされ得ることも理解されるべきであり、さらに、このような概念は、特許請求の範囲がそれらの言葉で別段に明確に述べられていない限り、以下の特許請求の範囲に含まれるものとされることが理解されるべきである。
【図１】
2019112064.tif 000003
【図２】
2019112064.tif 000004
【図３】
2019112064.tif 000005
【図４】
2019112064.tif 000006
【図５】
2019112064.tif 000007
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
車両で使用する後方視認アセンブリであって、
支持部に動作可能に結合され、第一基材及び第二基材を含む後方視認デバイスと、
前記後方視認デバイスの周辺縁部の周囲に延在するベゼルと、
を備え、
前記第一基材は、前記第二基材の前方に配置され、第一面及び第二面を含み、
前記第二基材は、第三面及び第四面を含み、
前記ベゼルの一部は、前記第二基材の前記第四面の後方に延在しており、
当該後方視認アセンブリは、更に、
前記第一基材の周辺縁部の近傍の前記第一面の上に配置された装飾と、
前記装飾の上に配置される保護層と、
を備え、
前記装飾は、美観設計を含んでおり、
前記装飾は、前記保護層と前記第一基材の前記第一面との間に位置決めされている
ことを特徴とする後方視認アセンブリ。
【請求項２】
前記装飾は、印刷されたグラフィックの装飾である
ことを特徴とする請求項１に記載の後方視認アセンブリ。
【請求項３】
前記保護層は、前記装飾の上に配置された透明なポリマー基材である
ことを特徴とする請求項１または２に記載の後方視認アセンブリ。
【請求項４】
前記ベゼルの前方縁部と前記透明なポリマー基材の前面とは、実質的に同一平面である
ことを特徴とする請求項３に記載の後方視認アセンブリ。
【請求項５】
前記ベゼルの前方縁部と前記第一面とは、実質的に同一平面である
ことを特徴とする請求項３に記載の後方視認アセンブリ。
【請求項６】
前記透明なポリマー基材は、前記装飾と前記ベゼルの前記前方縁部との両方の上に延在している
ことを特徴とする請求項４または５に記載の後方視認アセンブリ。
【請求項７】
前記装飾と前記第一基材の前記第一面との間に配置された圧感接着剤
を更に備えたことを特徴とする請求項１乃至６のいずれかに記載の後方視認アセンブリ。
【請求項８】
車両で使用する後方視認アセンブリであって、
支持部に動作可能に結合され、第一基材及び第二基材を含む後方視認デバイスと、
前記後方視認デバイスの周辺縁部の周囲に延在するベゼルと、
を備え、
前記第一基材は、前記第二基材の前方に配置され、第一面及び第二面を含み、
前記第二基材は、第三面及び第四面を含み、
前記ベゼルの一部は、前記第二基材の前記第四面の後方に延在しており、
当該後方視認アセンブリは、更に、
前記第一基材の周辺縁部の近傍の前記第一面の上に配置された、印刷されたグラフィックである装飾と、
前記後方視認デバイスを露出する中央開口を画成し、前記ベゼルに隣接する前記装飾の上に配置された第三基材と、
を備え、
前記装飾は、美観設計を含み、
前記装飾は、前記第一基材と前記第三基材との間に位置決めされている
ことを特徴とする後方視認アセンブリ。
【請求項９】
前記装飾と前記第一基材の前記第一面との間に配置された圧感接着剤
を更に備えたことを特徴とする請求項８に記載の後方視認アセンブリ。
【請求項１０】
前記基材は、前記装飾と前記ベゼルの前方縁部との両方の上を包囲している
ことを特徴とする請求項８または９に記載の後方視認アセンブリ。
【請求項１１】
前記基材は、透明なポリマー基材から形成される
ことを特徴とする請求項８乃至１０のいずれかに記載の後方視認アセンブリ。
【請求項１２】
車両で使用する後方視認アセンブリであって、
ハウジングと、
前記ハウジングと動作可能に結合され、ディスプレイを支持する支持部と、
前記ハウジング内に配置され、前記ディスプレイと動作可能に結合された回路基板と、
前記支持部と動作可能に結合され、前記ディスプレイの前方に配置され、前面を有する後方視認デバイスと、
前記後方視認デバイスの周辺縁部の周辺で、前記前面の前方に配置された装飾と、
を備えた後方視認アセンブリ。
【請求項１３】
前記後方視認デバイスの前記周辺縁部の周囲に延在するベゼル
を更に備えたことを特徴とする請求項１２に記載の後方視認アセンブリ。
【請求項１４】
前記装飾は、内装を含む、印刷されたグラフィックの装飾である
ことを特徴とする請求項１２または１３に記載の後方視認アセンブリ。
【請求項１５】
前記装飾の上に配置された透明な外側被覆
を更に備えたことを特徴とする請求項１２乃至１４のいずれかに記載の後方視認アセンブリ。
【請求項１６】
前記装飾の上に配置された透明な外側被覆
を更に備え、
前記ベゼルの前方縁部と前記透明な外側被覆の前面とが、実質的に同一平面である
ことを特徴とする請求項１３に記載の後方視認アセンブリ。
【請求項１７】
前記ベゼルの前面と前記ディスプレイの前面とが、実質的に同一平面である
ことを特徴とする請求項１２乃至１５のいずれかに記載の後方視認アセンブリ。
【請求項１８】
前記透明な外側被覆は、前記装飾および前記ベゼルの前方縁部の両方の上に延在している
ことを特徴とする請求項１５に記載の後方視認アセンブリ。
【請求項１９】
前記装飾と前記ディスプレイの前面との間に配置された圧感接着剤
を更に備えたことを特徴とする請求項１２乃至１８のいずれかに記載の後方視認アセンブリ。
【請求項２０】
前記ディスプレイは、前記支持部と動作可能に結合される電気光学要素の一部を形成しており、
前記電気光学要素は、第一基材及び第二基材を含んでおり、
前記第一基材は、前記第二基材の前方に配置され、第一面及び第二面を含み、
前記第二基材は、第三面及び第四面を含む
ことを特徴とする請求項１２乃至１９のいずれかに記載の後方視認アセンブリ。